(57)【特許請求の範囲】
【請求項１】
レーザ光を発するレーザ光源の明るさを制御するために、入力される調光値に基づいて、前記レーザ光源に供給する電力を制御する制御部を備え、
前記制御部は、
前記調光値が第１調光値領域の値である際に、当該調光値に基づいて、前記レーザ光源に供給する電力値を制御する第１電力制御部と、
前記調光値が前記第１調光値領域よりも暗い第２調光値領域の値である際に、当該調光値に基づいて、前記レーザ光源に供給する電力値を一定にしつつ、前記レーザ光源に電力を供給するオン時間と供給を停止するオフ時間との比を制御する第２電力制御部と、
前記調光値が前記第２調光値領域よりも暗い第３調光値領域の値である際に、当該調光値に基づいて、前記レーザ光源に電力を供給するオン時間と供給を停止するオフ時間との比を一定にしつつ、前記レーザ光源に供給する電力値を制御する第３電力制御部と、を備える調光装置。
【請求項２】
前記第３電力制御部は、前記調光値が前記第３調光値領域における最も暗い値である際に、前記レーザ光源が自然放出により発光するような電力値を、前記レーザ光源に供給する請求項１に記載の調光装置。
【請求項３】
前記第３電力制御部は、前記調光値が前記第３調光値領域における最も明るい値である際に、前記レーザ光源が誘導放出により発光するような電力値を、前記レーザ光源に供給する請求項２に記載の調光装置。
【請求項４】
レーザ光を発するレーザ光源と、
入力される調光値に基づいて、前記レーザ光源に供給する電力を制御する請求項１〜３の何れか１項に記載の調光装置と、を備える光源装置。
【発明の詳細な説明】
【技術分野】
【０００１】
本発明は、レーザ光源に供給する電力を制御する調光装置と、該調光装置を備える光源装置に関する。
【背景技術】
【０００２】
従来、調光装置として、入力される調光値に基づいて、ＬＥＤや有機ＥＬ等の光源に供給する電力を制御する調光装置が、知られている（例えば、特許文献１）。該調光装置は、入力される調光値が最も明るい領域の値である際に、光源に供給する電流値を制御し、入力される調光値が次に明るい領域の値である際に、光源に電力を供給するオン時間と供給を停止するオフ時間との比を制御している。
【０００３】
なお、入力される調光値が最も暗い領域の値である際には、光源は、発光しない、又は、殆ど発光しない。したがって、入力される調光値が最も暗い領域の値である際には、光源の調光の要望が無かった。それにより、調光装置も、入力される調光値が最も暗い領域の値である際には、光源の調光を実施していなかった。
【０００４】
ところで、最近、光源として、レーザ光を発するレーザ光源が、知られている。該レーザ光源は、ＬＥＤや有機ＥＬの光源よりも高出力であるため、入力される調光値が最も暗い領域の値である際でも、充分に発光する。したがって、幅広い調光を実現するために、レーザ光を発するレーザ光源に対しては、入力される調光値が最も暗い領域の値であっても、調光の要望がある。
【先行技術文献】
【特許文献】
【０００５】
【特許文献１】特開２０１１−１６５４９６号公報
【発明の概要】
【発明が解決しようとする課題】
【０００６】
よって、本発明は、斯かる事情に鑑み、幅広い調光を実現することができる調光装置及び光源装置を提供することを課題とする。
【課題を解決するための手段】
【０００７】
調光装置は、レーザ光を発するレーザ光源の明るさを制御するために、入力される調光値に基づいて、前記レーザ光源に供給する電力を制御する制御部を備え、前記制御部は、前記調光値が第１調光値領域の値である際に、当該調光値に基づいて、前記レーザ光源に供給する電力値を制御する第１電力制御部と、前記調光値が前記第１調光値領域よりも暗い第２調光値領域の値である際に、当該調光値に基づいて、前記レーザ光源に電力を供給するオン時間と供給を停止するオフ時間との比を制御する第２電力制御部と、前記調光値が前記第２調光値領域よりも暗い第３調光値領域の値である際に、当該調光値に基づいて、前記レーザ光源に供給する電力値を制御する第３電力制御部と、を備える。
【０００８】
また、調光装置においては、前記第３電力制御部は、前記調光値が前記第３調光値領域における最も暗い値である際に、前記レーザ光源が自然放出により発光するような電力値を、前記レーザ光源に供給する、という構成でもよい。
【０００９】
また、調光装置においては、前記第３電力制御部は、前記調光値が前記第３調光値領域における最も明るい値である際に、前記レーザ光源が誘導放出により発光するような電力値を、前記レーザ光源に供給する、という構成でもよい。
【００１０】
また、光源装置は、レーザ光を発するレーザ光源と、入力される調光値に基づいて、前記レーザ光源に供給する電力を制御する前記調光装置と、を備える。
【発明の効果】
【００１１】
以上の如く、本発明に係る調光装置及び光源装置は、幅広い調光を実現することができる、という優れた効果を奏する。
【図面の簡単な説明】
【００１２】
【図１】一実施形態に係る光源装置の全体図であって、制御ブロック図である。
【図２】同実施形態に係る調光装置の制御を説明する図であって、調光値に対するオンデューティ比の関係を示す図である。
【図３】同実施形態に係る調光装置の制御を説明する図であって、調光値に対する電流値の関係を示す図である。
【図４】同実施形態に係るレーザ光源の特性を説明する図であって、電流値に対する光出力の関係を示す図である。
【図５】同実施形態に係る調光装置の制御の効果を説明する図であって、調光値に対する光出力の関係を示す図である。
【図６】同実施形態に係る調光装置の制御の効果を説明する図であって、電流値に対する光出力の関係を示す図である。
【発明を実施するための形態】
【００１３】
以下、調光装置及び光源装置における一実施形態について、図１〜図６を参酌して説明する。
【００１４】
図１に示すように、本実施形態に係る光源装置１は、レーザ光を発するレーザ光源２と、レーザ光源２を調光するために調光値の情報を入力する入力装置３とを備えている。そして、光源装置１は、入力装置３に入力される調光値に基づいて、レーザ光源２の明るさを制御する調光装置４を備えている。
【００１５】
レーザ光源２は、レーザ光を発する少なくとも一つの半導体レーザを備えている。該半導体レーザは、１つのエミッタを有するＣＡＮタイプでもよく、複数のエミッタを有するアレイタイプでもよく、また、外部共振器型半導体レーザであってもよい。そして、光源装置１は、例えば、投影装置（プロジェクタ等）、照明装置（ファイバ照明装置、スポット照明装置等）等に用いられる。
【００１６】
入力装置３は、ユーザが所望の調光値を入力するために、ユーザに操作される操作部３ａを備えている。本実施形態においては、操作部３ａは、スライドスイッチとしているが、斯かる構成に限られず、例えば、回転スイッチ、テンキースイッチ等でもよい。そして、入力装置３は、例えば、操作部３ａのスイッチ位置をアナログ電圧値として検出し、当該アナログ電圧値をデジタルデータに変換した後、ＤＭＸ通信等のシリアル通信にて調光装置４に調光値のデータを送信する。
【００１７】
なお、入力装置３は、操作部３ａの操作の有無に関わらず、調光値を、所定の周期で連続的に調光装置４へ送信している。そして、調光値は、通信周波数に応じた周期で、入力装置３から調光装置４に連続的に送信される。例えば、調光値は、通信周波数が４４Ｈｚである場合には、２２．７ｍｓ（＝１／４４Ｈｚ）ごとに、入力装置３から調光装置４に送信される。なお、入力装置３は、操作部３ａが操作されて調光値が変更された際に、調光値のデータを調光装置４へ送信する、という構成でもよい。
【００１８】
また、調光値は、レーザ光源２の階調（調光値変化量）の数に応じたビット数のデータである。例えば、調光値は、レーザ光源２の階調が２５６階調である場合には、８ビットのデータであり、また、レーザ光源２の階調が５１２階調である場合には、９ビットのデータとなる。
【００１９】
調光装置４は、入力装置３から送信された調光値を受信して入力値として入力される入力部５と、各種データを記憶する記憶部６とを備えている。また、調光装置４は、レーザ光源２の明るさを制御するために、入力部５に入力される調光値に基づいて、レーザ光源２に供給する直流電力を制御する制御部７と、レーザ光源２に向けて電力を出力する出力部８とを備えている。
【００２０】
制御部７は、調光値が第１調光値領域の値である際に、レーザ光源２に供給する電力を制御する第１電力制御部７ａと、調光値が第１調光値領域よりも暗い第２調光値領域の値である際に、レーザ光源２に供給する電力を制御する第２電力制御部７ｂとを備えている。また、制御部７は、調光値が第２調光値領域よりも暗い第３調光値領域の値である際に、レーザ光源２に供給する電力を制御する第３電力制御部７ｃを備えている。
【００２１】
本実施形態に係る光源装置１の構成については以上の通りであり、次に、本実施形態に係る調光装置４の制御方法について、図２及び図３を参酌して説明する。
【００２２】
図２及び図３に示すように、本実施形態においては、レーザ光源２の階調は、５１２階調とし、調光値の最大値は、「５１１」であり、調光値の最小値は、「０」である。そして、調光値の数値が大きいほど、レーザ光源２が明るいことを示している。なお、図２に係る調光値とオンデューティ比との関係の情報、及び、図３に係る調光値と電流値との関係の情報は、記憶部６に記憶されている。
【００２３】
第１調光値領域Ｒ１の調光値は、最大値「５１１」から第１設定値「Ｓ１」（例えば、最大値「５１１」の４０％〜８０％）までの範囲であり、第２調光値領域Ｒ２の調光値は、第１設定値「Ｓ１」から第２設定値「Ｓ２」（例えば、最大値「５１１」の３％〜１０％）までの範囲であり、第３調光値領域Ｒ３の調光は、第２設定値「Ｓ２」から最小値「０」までの範囲である。なお、第１及び第２設定値Ｓ１，Ｓ２は、記憶部６に記憶されており、既定値としてもよく、また、例えば、入力装置３で入力されることで変更可能であってもよい。
【００２４】
第１電力制御部７ａは、図３に示すように、入力部５に入力される調光値が第１調光値領域Ｒ１の値である際に、当該調光値に基づいて、レーザ光源２に供給する電流値を制御している。第１電力制御部７ａの制御においては、調光値と電流値とは、比例関係である。
【００２５】
例えば、調光値が第１調光値領域Ｒ１における最も明るい値（即ち、最大値であって、調光値「５１１」）の際に、電流値は、「Ｉ５１１」（例えば、レーザ光源２の定格電流の７０％〜１００％）である。そして、例えば、調光値が第１調光値領域Ｒ１における最も暗い値（即ち、最小値であって、第１設定値「Ｓ１」）の際に、電流値は、「ＩＳ１」（例えば、レーザ光源２の定格電流の３０％〜８０％）である。
【００２６】
また、第１電力制御部７ａは、図２に示すように、レーザ光源２に電力を供給するオン時間と供給を停止するオフ時間との比、即ち、オンデューティ比（＝オン時間／（オン時間＋オフ時間））を一定値「ＤＲ１」（例えば、９０％〜１００％）としている。即ち、第１電力制御部７ａの制御においては、調光値に関わらず、レーザ光源２に供給する電力のオンデューティ比は、一定である。
【００２７】
第２電力制御７ｂ部は、入力部５に入力される調光値が第２調光値領域Ｒ２の値である際に、当該調光値に基づいて、レーザ光源２に電力を供給するオン時間と供給を停止するオフ時間との比、即ち、オンデューティ比を制御している。第２電力制御部７ｂの制御においては、調光値とオンデューティ比とは、比例関係である。
【００２８】
例えば、調光値が第２調光値領域Ｒ２における最も明るい値（即ち、最大値であって、第１設定値「Ｓ１」）の際に、オンデューティ比は、「ＤＳ１」である。なお、調光値が第２調光値領域Ｒ２における最も明るい値である際のオンデューティ比「ＤＳ１」は、調光値が第１調光値領域Ｒ１の値である際のオンデューティ比「ＤＲ１」と同じである。
【００２９】
また、例えば、調光値が第２設定値「Ｓ２」の際に、オンデューティ比は、「ＤＳ２」（例えば、５％〜１５％）である。なお、調光値が第２調光領域Ｒ２における最も暗い値（即ち、最小値であって、第２設定値「Ｓ２」）である際の、オンデューティ比「ＤＳ２」は、人間の目でちらつきなどを感じないＰＷＭ周波数（概ね１００Ｈｚ以上）で、出力部８のスイッチング素子のターンオン時間、ターンオフ時間や時定数で実現可能なオン時間で決定される。
【００３０】
また、第２電力制御部７ｂは、図３に示すように、レーザ光源２に供給する電流値を一定値「ＩＲ２」としている。即ち、第２電力制御部７ｂの制御においては、調光値に関わらず、レーザ光源２に供給する電流値は、一定である。なお、調光値が第２調光値領域Ｒ２の値である際の電流値「ＩＲ２」は、調光値が第１調光値領域Ｒ１の値の最も暗い値である際の電流値「ＩＳ１」と同じである。
【００３１】
第３電力制御部７ｃは、入力部５に入力される調光値が第３調光値領域Ｒ３の値である際に、当該調光値に基づいて、レーザ光源２に供給する電流値を制御している。第３電力制御部７ｃの制御においては、調光値と電流値とは、比例関係である。
【００３２】
例えば、調光値が第３調光値領域Ｒ３における最も明るい値（即ち、最大値であって、第２設定値「Ｓ２」）の際に、電流値は、「ＩＳ２」である。なお、調光値が第３調光値領域Ｒ３における最も明るい値の際の電流値「ＩＳ２」は、調光値が第２調光値領域Ｒ２の値である際の電流値「ＩＲ２」と同じである。
【００３３】
また、例えば、調光値が第３調光値領域Ｒ３における最も暗い値（即ち、最小値であって、調光値「０」）の際に、電流値は、「Ｉ０」（例えば、レーザ光源２の定格電流の５％〜３０％）である。本実施形態においては、調光値が第３調光値領域Ｒ３における最も暗い値である際も、レーザ光源２は、発光している。
【００３４】
また、第３電力制御部７ｃは、図２に示すように、レーザ光源２に電力を供給するオン時間と供給を停止するオフ時間との比、即ち、オンデューティ比を一定値「ＤＲ３」としている。即ち、第３電力制御部７ｃの制御においては、調光値に関わらず、レーザ光源２に供給する電力のオンデューティ比は、一定である。なお、調光値が第３調光値領域Ｒ３の値である際のオンデューティ比「ＤＲ３」は、調光値が第２調光値領域Ｒ２の最も暗い値である際のオンデューティ比「ＤＳ２」と同じである。
【００３５】
次に、調光値が第３調光値領域Ｒ３の値である際に、レーザ光源２に供給する電流値について、図３及び図４を参酌して説明する。
【００３６】
まず、レーザ光源２は、レーザ光を発する光源である。したがって、レーザ光源２は、図４に示すように、供給される電流が閾値電流値Ｉｔ以上（誘電放出領域）である際に、誘電放出により発光（「レーザ発光」ともいう）し、閾値電流値Ｉｔ未満（自然放出領域）である際に、自然放出により発光（「ＬＥＤ発光」ともいう）する。
【００３７】
そして、レーザ光源２に供給される電流値が誘電放出領域の値である際も、レーザ光源２に供給される電流値が自然放出領域の値である際も、電流値と光出力とは、比例関係である。しかしながら、誘導放出領域における電流値に対する光出力の変化は、自然放出領域における電流値に対する光出力の変化よりも、大きい。したがって、レーザ光源２における電流値と光出力とは、ＬＥＤ等の光源のような単純な比例関係（電流値と光出力との関係が全域に亘って一直線状となる関係）ではない。
【００３８】
そこで、図３及び図４に示すように、第３電力制御部７ｃは、調光値が第３調光値領域Ｒ３における最も暗い値（即ち、調光値「０」）である際に、レーザ光源２が自然放出により発光するような電流値を、レーザ光源２に供給する。即ち、調光値「０」である際の電流値「Ｉ０」は、閾値電流値Ｉｔより小さい電流値である。
【００３９】
また、第３電力制御部７ｃは、調光値が第３調光値領域Ｒ３における最も明るい値（即ち、第２設定値「Ｓ２」）である際に、レーザ光源２が誘導放出により発光するような電流値を、レーザ光源２に供給する。即ち、調光値が第２設定値「Ｓ２」である際の電流値「ＩＳ２」は、閾値電流値Ｉｔより大きい電流値である。
【００４０】
次に、本実施形態に係る調光装置４の制御による効果について、図５を参酌して説明する。
【００４１】
図５において、実線Ａ１は、本実施形態に係る調光装置４の制御により実現できる調光を示している。なお、１点鎖線Ａ０は、リニアリティのある理想的な調光（調光値と光出力との関係が全域に亘って一直線状となるような調光）を示している。
【００４２】
まず、調光値が第１調光値領域Ｒ１の値である際に、第１電力制御部７ａは、当該調光値に基づいて、レーザ光源２に供給する電流値を制御している。これにより、高いオンデューティ比でレーザ光源２の調光を行うことができる。したがって、オンデューティ比を制御する場合と比較して、人間の目で感じないものの、スキャンタイムが短いカメラ等での撮像データで現れるような光のちらつき（明暗）も、抑制することができる。
【００４３】
ところで、レーザ光源２における電流値と光出力とが、ＬＥＤ等の光源のような単純な比例関係ではない（図４参照）。したがって、図５に示すように、第１調光値領域Ｒ１において、調光値が小さくなるにつれて、実際の調光Ａ１の光出力と理想的な調光Ａ０の光出力との差が、大きくなる。
【００４４】
そこで、調光値が第２調光値領域Ｒ２の値である際に、第２電力制御部７ｂは、レーザ光源２に供給する電力のオンデューティ比を制御している。これにより、第２調光値領域Ｒ２において、調光値が小さくなるにつれて、実際の調光Ａ１の光出力と理想的な調光Ａ０の光出力との差が、小さくなる。したがって、第１調光値領域Ｒ１から第２調光値領域Ｒ２にかけて、理想的な調光Ａ０に近い調光、即ち、リニアリティのある調光を実現することができる。
【００４５】
そして、調光値が第３調光値領域Ｒ３の値である際に、第３電力制御部７ｃは、当該調光値に基づいて、レーザ光源２に供給する電流値を制御している。これにより、調光値が第３調光値領域Ｒ３であっても、レーザ光源２に対して調光することができている。したがって、幅広い調光を実現することができている。
【００４６】
次に、本実施形態に係る調光装置４の第３電力制御部７ｃの制御による効果について、図６を参酌して説明する。
【００４７】
図６において、実線Ａ１１と２点鎖線Ａ１２は、双方ともレーザ光源２，２における電流値に対する光出力の関係を示している。斯かる実線Ａ１１と２点鎖線Ａ１２とで示す関係は、若干相違する個体差を有する関係であるが、この個体差は、例えば、同じ設計に基づいて製造されたレーザ光源２において、製造誤差が存在した場合に発生する。
【００４８】
そして、本実施形態に係る第３電力制御部７ｃにおいては、調光値が第３調光値領域Ｒ３における最も暗い値（即ち、調光値「０」）である際に、閾値電流値「Ｉｔ（Ｉｔ１１，Ｉｔ１２）」よりも小さい電流値「Ｉ０」を、レーザ光源２に供給している。即ち、調光値が「０」である際に、自然放出領域の電流値「Ｉ０」を、レーザ光源２に供給している。
【００４９】
ところで、自然放出領域における電流値に対する光出力の変化は、誘導放出領域における電流値に対する光出力の変化よりも、小さい。したがって、自然放出領域の電流値「Ｉ０」をレーザ光源２に供給した際の、レーザ光源２，２間の光出力の相違「ΔＰ０」は、誘導放出領域の電流値「Ｉ０ａ」をレーザ光源２に供給した際の、レーザ光源２，２間の光出力の相違「ΔＰ０ａ」よりも、小さくなる。これにより、第３調光値領域Ｒ３における最も暗い調光値「０」における光出力を安定させることができる。
【００５０】
また、本実施形態に係る第３電力制御部７ｃにおいては、調光値が第３調光値領域Ｒ３における最も明るい値（即ち、調光値が第２設定値「Ｓ２」）である際に、誘導放出領域の電流値「ＩＳ２」を、レーザ光源２に供給している（図３及び図４参照）。そして、誘導放出領域における電流値に対する光出力の変化は、自然放出領域における電流値に対する光出力の変化よりも、大きい。
【００５１】
これにより、第３調光値領域Ｒ３においても、レーザ光源２の明暗の差が表れるため、調光を実現することができる。したがって、第３調光値領域Ｒ３においても、幅広い調光を実現することができる。
【００５２】
このように、第３調光値領域Ｒ３において、誘導放出領域の電流のみを用いる調光では、レーザ光源２の個体差により、最小の電流値「Ｉ０ａ」でも大きな光出力の相違「ΔＰ０ａ」が発生するのに対して、誘導放出領域の電流だけでなく、自然放出領域の電流を用いる調光では、最小の電流値「Ｉ０」では光出力の相違「ΔＰ０」が殆ど発生しないようにすることが可能となり、しかも、広い範囲での調光が可能となる。
【００５３】
以上より、本実施形態に係る光源装置１は、レーザ光を発するレーザ光源２と、入力される調光値に基づいて、前記レーザ光源２に供給する電力を制御する調光装置４と、を備える。
【００５４】
そして、本実施形態に係る調光装置４は、レーザ光を発するレーザ光源２の明るさを制御するために、入力される調光値に基づいて、前記レーザ光源２に供給する電力を制御する制御部７を備え、前記制御部７は、前記調光値が第１調光値領域Ｒ１の値である際に、当該調光値に基づいて、前記レーザ光源２に供給する電力値を制御する第１電力制御部７ａと、前記調光値が前記第１調光値領域Ｒ１よりも暗い第２調光値領域Ｒ２の値である際に、当該調光値に基づいて、前記レーザ光源２に電力を供給するオン時間と供給を停止するオフ時間との比を制御する第２電力制御部７ｂと、前記調光値が前記第２調光値領域Ｒ２よりも暗い第３調光値領域Ｒ３の値である際に、当該調光値に基づいて、前記レーザ光源２に供給する電力値を制御する第３電力制御部７ｃと、を備える。
【００５５】
斯かる構成によれば、調光値が第１調光値領域Ｒ１の値である際に、第１電力制御部７ａは、当該調光値に基づいて、レーザ光源２に供給する電力の電力値を制御している。これにより、オンデューティ比を制御する場合と比較して、第１調光値領域Ｒ１において、レーザ光源２による光のちらつきを確実に抑制することができる。
【００５６】
そして、調光値が第１調光値領域Ｒ１よりも暗い第２調光値領域Ｒ２の値である際に、第２電力制御部７ｂは、当該調光値に基づいて、レーザ光源２に電力を供給するオン時間と供給を停止するオフ時間との比を制御している。これにより、第１調光値領域Ｒ１から第２調光値領域Ｒ２に亘って、リニアリティのある調光を実現することができる。
【００５７】
さらに、調光値が第２調光値領域Ｒ２よりも暗い第３調光値領域Ｒ３の値である際に、第３電力制御部７ｃは、当該調光値に基づいて、レーザ光源２に供給する電力の電力値を制御している。これにより、第３調光値領域Ｒ３であっても、レーザ光源２に対して調光することができる。したがって、幅広い調光を実現することができる
【００５８】
また、本実施形態に係る調光装置４においては、前記第３電力制御部７ｃは、前記調光値が前記第３調光値領域Ｒ３における最も暗い値「０」である際に、前記レーザ光源２が自然放出により発光するような電力値を、前記レーザ光源２に供給する、という構成である。
【００５９】
斯かる構成によれば、調光値が第３調光値領域Ｒ３における最も暗い値「０」である際に、第３電力制御部７ｃが所定の電力値を供給することで、レーザ光源２は、自然放出により発光する。そして、レーザ光源２の自然放出の領域においては、供給する電力値に対する光出力の変化が小さい。これにより、例えば、レーザ光源２に供給する電力値に対する光出力に、個体差が存在していても、第３調光値領域Ｒ３における最も暗い調光値「０」における光出力を安定させることができる。
【００６０】
また、本実施形態に係る調光装置４においては、前記第３電力制御部７ｃは、前記調光値が前記第３調光値領域Ｒ３における最も明るい値「Ｓ２」である際に、前記レーザ光源２が誘導放出により発光するような電力値を、前記レーザ光源２に供給する、という構成である。
【００６１】
斯かる構成によれば、調光値が第３調光値領域Ｒ３における最も明るい値「Ｓ２」である際に、第３電力制御部７ｃが所定の電力値を供給することで、レーザ光源２は、誘導放出により発光する。そして、レーザ光源２の誘導放出の領域においては、供給する電力値に対する光出力の変化が大きい。これにより、第３調光値領域Ｒ３においても、十分に幅広い調光を実現することができる。
【００６２】
なお、調光装置及び光源装置は、上記した実施形態の構成に限定されるものではなく、また、上記した作用効果に限定されるものではない。また、調光装置及び光源装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００６３】
上記実施形態に係る調光装置４は、調光値が最も暗い値「０」である際に、レーザ光源２が発光するような電力値（具体的には、電流値）を、レーザ光源２に供給する、という構成である。しかしながら、調光装置は、斯かる構成に限られない。例えば、調光装置は、調光値が最も暗い値「０」である際に、レーザ光源２に電力を供給しない、という構成でもよい。斯かる構成においては、第３調光値領域Ｒ３の最も暗い調光値は、「０」ではなく、レーザ光源２が発光する調光値のうち、最も暗い値となる。
【００６４】
また、上記実施形態に係る調光装置４においては、第１電力制御部７ａは、レーザ光源２に供給する電流値を制御することで、間接的に電力値を制御する、という構成である。しかしながら、調光装置は、斯かる構成に限られない。例えば、調光装置においては、第１電力制御部７ａは、レーザ光源２に供給する電圧値を制御することで、間接的に電力値を制御する、という構成でもよく、また、レーザ光源２に供給する電力値を直接的に制御する、という構成でもよい。
【００６５】
また、上記実施形態に係る調光装置４においては、第３電力制御部７ｃは、レーザ光源２に供給する電流値を制御することで、間接的に電力値を制御する、という構成である。しかしながら、調光装置は、斯かる構成に限られない。例えば、調光装置においては、第３電力制御部７ｃは、レーザ光源２に供給する電圧値を制御することで、間接的に電力値を制御する、という構成でもよく、また、レーザ光源２に供給する電力値を直接的に制御する、という構成でもよい。
【００６６】
また、上記実施形態に係る調光装置４においては、第３電力制御部７ｃは、調光値が第３調光値領域Ｒ３における最も暗い値「０」である際に、レーザ光源２が自然放出により発光するような電力値（具体的には、電流値「Ｉ０」）を、レーザ光源２に供給する、という構成である。しかしながら、調光装置は、斯かる構成に限られない。例えば、調光装置においては、第３電力制御部７ｃは、調光値が第３調光値領域Ｒ３における最も暗い値である際に、レーザ光源２が誘導放出により発光するような電力値を、レーザ光源２に供給する、という構成でもよい。
【００６７】
また、上記実施形態に係る調光装置４においては、第３電力制御部７ｃは、調光値が第３調光値領域Ｒ３における最も明るい値「Ｓ２」である際に、レーザ光源２が誘導放出により発光するような電力値（具体的には、電流値「ＩＳ２」）を、レーザ光源２に供給する、という構成である。しかしながら、調光装置は、斯かる構成に限られない。例えば、調光装置においては、第３電力制御部７ｃは、調光値が第３調光値領域Ｒ３における最も明るい値である際に、レーザ光源２が自然放出により発光するような電力値を、レーザ光源２に供給する、という構成でもよい。
【００６８】
また、上記実施形態に係る調光装置４は、入力装置３と別体であって、通信を経由することで、入力装置３から調光値のデータを受信する、という構成である。しかしながら、調光装置は、斯かる構成に限られない。例えば、調光装置は、入力装置３と一体であって、操作部３ａでの操作により、通信を経由することなく、調光値が入力部５に入力値として入力される、という構成でもよい。
【００６９】
また、上記実施形態に係る調光装置４においては、出力部８は、レーザ光源２に向けて電力を出力する、という構成である。しかしながら、調光装置は、斯かる構成に限られない。例えば、調光装置においては、出力部８は、レーザ光源２に向けて出力値（データ）を出力する、という構成でもよい。そして、レーザ光源２は、出力部８から出力された出力値に基づいて、供給される電力を制御してもよい。
【符号の説明】
【００７０】
１…光源装置、２…レーザ光源、３…入力装置、３ａ…操作部、４…調光装置、５…入力部、６…記憶部、７…制御部、７ａ…第１電力制御部、７ｂ…第２電力制御部、７ｃ…第３電力制御部、８…出力部、Ｒ１…第１調光値領域、Ｒ２…第２調光値領域、Ｒ３…第３調光値領域
【要約】
【課題】  幅広い調光を実現することができる調光装置及び光源装置を提供する。
【解決手段】  光源装置は、レーザ光を発するレーザ光源と、レーザ光源に供給する電力を制御する調光装置とを備える。調光装置は、調光値が第１調光値領域の値である際に、当該調光値に基づいて、レーザ光源に供給する電力値を制御する第１電力制御部と、調光値が第１調光値領域よりも暗い第２調光値領域の値である際に、当該調光値に基づいて、レーザ光源に電力を供給するオン時間と供給を停止するオフ時間との比を制御する第２電力制御部と、調光値が第２調光値領域よりも暗い第３調光値領域の値である際に、当該調光値に基づいて、レーザ光源に供給する電力値を制御する第３電力制御部と、を備える。
【選択図】  図１【図１】
0006015799.tif 000002
【図２】
0006015799.tif 000003
【図３】
0006015799.tif 000004
【図４】
0006015799.tif 000005
【図５】
0006015799.tif 000006
【図６】
0006015799.tif 000007